(57)【要約】【課題】燃焼器具に取付ける際に、昇圧トランスの二次側端子に接続された出力端子にはんだ付けされたぎぼし端子の回動を防止して昇圧トランスから二次側端子までの二次線が断線しなくなるようにしたバーナー点火用電源装置を提供する。【解決手段】本体ケースにぎぼし端子の出力端子側接合部を挿置又は嵌合するための断面多角形の穴を形成し、ぎぼし端子の出力端子側接合部を上記穴に挿置又は嵌合し、昇圧トランスの二次側端子に接続された出力端子に接合して構成される。【選択図】　　　図２
2004012076.tif 000002
【特許請求の範囲】
【請求項１】
本体ケース内に、昇圧トランスと、昇圧トランスの一次側に接続された点火制御回路基板とを分離して収納し、高圧出力回路基板を介して昇圧トランスの二次側端子に接続された出力端子及び点火制御回路基板に接続した電源入力端子を本体ケース外に露出させて設けたバーナー点火用電源装置において、
本体ケースにぎぼし端子の出力端子側接合部を挿置又は嵌合するための断面多角形の穴を形成し、ぎぼし端子の出力端子側接合部を上記穴に挿置又は嵌合し、昇圧トランスの二次側端子に接続された出力端子に接合したことを特徴とするバーナー点火用電源装置。
【発明の詳細な説明】
【０００１】
【発明が属する技術分野】
本発明は、屋内に設置された固定型のガス器具や石油器具、さらには野外用バーベキューコンロのような燃焼器具に使用するバーナー点火用電源装置に関するものである。
【０００２】
【従来の技術】
従来この種のバーナー点火用電源装置としては　本体ケース内に、昇圧トランスと、給電回路及び昇圧トランスの一次側に接続された点火制御回路装置とを本体ケース内に分離して設け、昇圧トランスの二次線に接続した二次側端子を高圧出力回路基板を介して、本体ケース外に露出させて設けた出力端子に接続し、燃焼器具側の適当な部位に装着される電池を電源としてコードを介して、点火制御回路装置に設けた入力給電端子に接続するか、又は電池を本体ケースに一体的に組み込み、その電池の端子を点火制御回路装置に設けた入力給電端子に接続した形式のものが知られている。
【０００３】
かかる従来のバーナー点火用電源装置においては、高圧出力回路基板を介して昇圧トランスの二次側端子に接続された出力端子としては通常円柱形状の端子ピンすなわち丸ピンが使用されてきた。そしてこの丸ピンにぎぼし型のオス端子がはんだ付けされている。
【０００４】
このような構造のバーナー点火用電源装置をガス器具や石油器具のような燃焼器具に取付ける際に、昇圧トランスの二次側端子に接続された出力端子にはんだ付けされたぎぼし型のオス端子に、燃焼器具に設けた点火具に接続したぎぼし型のメス端子を回しながら差込み、固定して用意される。
【０００５】
【発明が解決しようとする課題】
このように、バーナー点火用電源装置をガス器具や石油器具のような燃焼器具に取付けるため、昇圧トランスの二次側端子に接続された出力端子にはんだ付けされたぎぼし型のオス端子に対して焼器具に設けた点火具に接続したぎぼし型のメス端子を回しながら差込む際に、本体ケースに対して出力端子にはんだ付けされたぎぼし型のオス端子が回動する。そのため、昇圧トランスの二次側端子に接続された出力端子側接合部とぎぼし型のオス端子とのはんだ付け部分にクラックが入ったり、昇圧トランスから二次側端子までの二次線がよじれて断線する恐れがあるという問題があった。
【０００６】
本発明は、ガス器具や石油器具のような燃焼器具に取付ける際に、昇圧トランスの二次側端子に接続された出力端子に接合したぎぼし端子の回動を防止して昇圧トランスから二次側端子までの二次線が断線しなくなるようにしたバーナー点火用電源装置を提供することを目的としている。
【０００７】
【課題を解決するための手段】
上記の目的を達成するために、本発明によれば、本体ケース内に、昇圧トランスと、昇圧トランスの一次側に接続された点火制御回路基板とを分離して収納し、高圧出力回路基板を介して昇圧トランスの二次側端子に接続された出力端子及び点火制御回路基板に接続した電源入力端子を本体ケース外に露出させて設けたバーナー点火用電源装置において、本体ケースにぎぼし端子の出力端子側接合部を挿置又は嵌合するための断面多角形の穴を形成し、ぎぼし端子の出力端子側接合部を上記穴に挿置又は嵌合し、昇圧トランスの二次側端子に接続された出力端子に接合したことを特徴としている。
【０００８】
【発明の実施の形態】
以下、添付図面を参照して本発明の実施の形態について詳細に説明する。
図１及び図２には、本発明の実施の形態によるバーナー点火用電源装置を示している。図示したバーナー点火用電源装置は本体ケース１を有し、この本体ケース１は、ＡＢＳ樹脂のような適当な樹脂材料から成り、底側が開放しており、対向した横方の側部には図１及び図３に示すように一対の固定用フランジ２が設けられ、また対向した前後の側部には一対の入力端子取付け部３及び一つの出力端子取付け部４が形成されている。本体ケース１内には、昇圧トランス組立体５と、昇圧トランス５の一次側に接続された点火制御回路基板６が互いに分離して収納されている。
【０００９】
一対の入力端子取付け部３にはそれぞれスリット状長穴７が形成されている。各スリット状長穴７はフランジ８で囲まれ、これらのフランジ８は条片状の電源入力端子９を支持すると共に、本体ケース１内への水の浸入をし難くしている。各電源入力端子９の先端は図２に示すように本体ケース１の外側に露出し、また各電源入力端子９の基端は図１に符号１０で示すように点火制御回路基板６にはんだ付けされている。点火制御回路基板６は点火制御回路モジュール１１を備えている。また１２はアース端子で、昇圧トランス組立体５の一次側と点火制御回路基板６の接続端子に符号１３で示すようにはんだ付けされている。
【００１０】
昇圧トランス組立体５の二次側には出力端子１４が接続されている。出力端子１４はぎぼし端子の一部を構成している条片状の出力端子側接合部１５に例えばはんだ付けにより接合されている。ぎぼし端子はまた条片状の出力端子側接合部１５に例えばはんだ付けにより接合されたぎぼし型部１６を備えている。本体ケース１の側部に突起して設けられた出力端子取付け部４は図４及び図５に示すように、ぎぼし端子の条片状の出力端子側接合部１５を挿置又は嵌合する出力端子側接合部１５の断面形状に相応した断面形状、図示例では長方形の穴１７及びぎぼし型部１６を受ける円形凹部１８を備えている。
【００１１】
ぎぼし端子の条片状の出力端子側接合部１５は板状導電性材料から成り、そして図６に示すように、昇圧トランス組立体５の二次側の出力端子１４にはんだ付けされる一端部すなわち先端部１５ａと、出力端子取付け部４に設けた穴１７に嵌合する幅広中間部１５ｂと、ぎぼし型部１６に係合する他端部１５ｃとを備えている。
【００１２】
ぎぼし端子のぎぼし型部１６は、図７及び図８に示すように、中空円筒状であり、その外方端には出力端子側接合部１５の他端部１５ｃをはんだ付けする凹部１６ａが形成され、内方端には出力端子側接合部１５の幅広中間部１５ｂを嵌合する長溝１６ｂが形成され、また外方端に隣接してぎぼし型メス端子（図示していない）を係止する係止溝１６ｃが形成されている。
【００１３】
このような構成部品を装置に組み付けるに際して、まず条片状の出力端子側接合部１５をぎぼし型部１６に組み込み、ぎぼし型部１６の外方端の凹部１６ａに条片状の出力端子側接合部１５の他端部１５ｃをはんだ付けしてぎぼし端子を組み立てて本体ケース１の出力端子取付け部４に差し込み、条片状の出力端子側接合部１５を出力端子取付け部４における長方形の穴１７に係合させ、ぎぼし型部１６を出力端子取付け部４における円形凹部１８に嵌合させる。次にアース端子１２を本体ケース１の予定の部位に差し込む。そして本体ケース１内に昇圧トランス組立体５を組み付け、各電源入力端子９を一対の入力端子取付け部３におけるそれぞれスリット状長穴７に差し込む。
【００１４】
しかる後、条片状の出力端子側接合部１５の先端部１５ａを昇圧トランス組立体５の二次側の出力端子１４にはんだ付けし、アース端子１２を昇圧トランス組立体５の一次側と点火制御回路基板６の接続端子に部位１３ではんだ付けする。また各電源入力端子９の基端を点火制御回路基板６に部位１０ではんだ付けする。これによりバーナー点火用電源装置が完成される。
【００１５】
こうして構成されたバーナー点火用電源装置は、燃焼器具に取り付けられ、電源入力端子９を電源（図示していない）の出力端子に接続し、そしてぎぼし端子のぎぼし型部１６に燃焼器具に設けたぎぼし型メス端子を接続し、燃焼器具の点火つまみ又は点火ボタンに連動して着火操作を行うのに使用される。
【００１６】
ところで図示実施の形態においては、ぎぼし端子の出力端子側接合部は条片状に構成されているが、必要に応じて例えば三角形や六角形のような断面多角形に構成することができる。また、ぎぼし端子は、出力端子側接合部とぎぼし型部とを別個に用意し互いにはんだ付け等で接合して構成しているが、代りに、出力端子側接合部とぎぼし型部とを一体に形成してぎぼし端子を構成することもできる。
【００１７】
また、図示実施の形態では、一つの出力端子を設けたバーナー点火用電源装置について説明してきたが、当然多口型の燃焼器具用に構成することもできる。その場合には、昇圧トランス組立体５の二次側巻線の数を口数に応じて選定し、二次側の出力端子を複数設け、本体ケース１の出力端子取付け部４に複数の条片状の出力端子側接続部１５とぎぼし型部１６の組立体すなわちぎぼし端子が組み込めるように構成することによって実施され得る。
【００１８】
【発明の効果】
以上説明してきたように、本発明によるバーナー点火用電源装置においては、本体ケースにぎぼし端子の出力端子側接合部を挿置又は嵌合するための断面多角形の穴を形成し、ぎぼし端子の出力端子側接合部を上記穴に挿置又は嵌合し、昇圧トランスの二次側端子に接続された出力端子に接合して構成したことにより、装置側のぎぼし端子に燃焼機器側のぎぼし型メス端子を装着する際に、装置側のぎぼし端子が回動することがなく、昇圧トランス組立体の二次側巻線がよじれて断線するのを防止できるようになる。
【図面の簡単な説明】
【図１】本発明によるバーナー点火用電源装置の一つの実施の形態の要部を示す概略底面図。
【図２】図１の線Ａ−Ａに沿った概略断面図。
【図３】図１の装置の矢印Ｂ方向から見た概略側面図。
【図４】図１の装置の矢印Ｃ方向から見た概略側面図。
【図５】図１に示す装置の本体ケースの出力端子取付け部を拡大して示す概略断面図。
【図６】図１の装置に用いられるぎぼし端子の出力端子側接合部を示す概略平面図。
【図７】図１の装置に用いられるぎぼし端子のぎぼし型部を示す概略端面図。
【図８】図７のぎぼし型部の部分断面平面図。
【符号の説明】
１　：本体ケース
２　：固定用フランジ
３　：入力端子取付け部
４　：出力端子取付け部
５　：昇圧トランス組立体
６　：点火制御回路基板
７　：スリット状長穴
８　：フランジ
９　：電源入力端子
１０：はんだ付け部位
１１：点火制御回路モジュール
１２：アース端子
１３：はんだ付け部位
１４：出力端子
１５：ぎぼし端子の出力端子側接合部
１６：ぎぼし端子のぎぼし型部
【図１】
2004012076.tif 000003
【図２】
2004012076.tif 000004
【図３】
2004012076.tif 000005
【図４】
2004012076.tif 000006
【図５】
2004012076.tif 000007
【図６】
2004012076.tif 000008
【図７】
2004012076.tif 000009
【図８】
2004012076.tif 000010